(57)【要約】【課題】ストロボ光，ＡＦ補助光を発光する発光器を備えた撮影装置の省電力化を図る。【解決手段】ＬＥＤ制御回路８２にＳＴＡコマンドが入力される毎にスイッチ８８がオン／オフされる。スイッチ８８のオフ時には、スイッチ８７がオフになり、ＨＫコマンドがＬＥＤ制御回路８２の調光回路８５に入力されてスイッチ８６がオンになると、電源電圧がＬＥＤ２１に印加されＡＦ補助光が放出される。スイッチ８８がオンの時には、スイッチ８７もオンになっており、ＨＫコマンドが調光回路８５に入力されてスイッチ８６がオンになると、ＤＣ−ＤＣコンバータ８４によって昇圧した高電圧がＬＥＤ２１に印加され、ＬＥＤ２１からストロボ光が放出される。ストロボ調光回路８５は、調光センサ１７からの入射光量が適正露光に対応した発光量調整用の基準値と一致した際にスイッチ８６をオフにし、ＬＥＤ２１の発光を停止する。【選択図】        図４
2006003442.tif 000002
【特許請求の範囲】
【請求項１】
白色光を発光する発光器と、この発光器に印加する電圧を切り替えることにより、撮影時には発光器から被写体を照明する照明光を発光し、撮影レンズのピント調節時には発光器から照明光よりも弱いＡＦ補助光を発光する発光制御部とを設けたことを特徴とする撮影装置。
【請求項２】
前記撮影時に発光器に印加される電圧は、電源電池の電圧を昇圧した高電圧であるとともに、前記撮影レンズのピント調節時に発光器に印加される電圧は、電源電池の電圧そのままの電源電圧であることを特徴とする請求項１記載の撮影装置。
【請求項３】
前記撮影時に発光器に印加される電圧は、電源電池の電圧を昇圧した高電圧であるとともに、前記撮影レンズのピント調節時に発光器に印加される電圧は、前記高電圧の昇圧率よりも低い昇圧率で電源電池の電圧を昇圧した中電圧であることを特徴とする請求項１記載の撮影装置。
【発明の詳細な説明】
【技術分野】
【０００１】
本発明は、撮影装置に関し、更に詳しくはストロボ光やＡＦ補助光を発光する発光器を備えた撮影装置に関するものである。
【背景技術】
【０００２】
ピント調節を自動で行うオートフォーカス機能を備えたデジタルカメラやカメラ付き携帯電話等の撮影装置が普及している。例えば、特許文献１記載の撮影装置では、Ｒ，Ｇ，Ｂの各ＬＥＤを一斉に点灯させることにより白色光を放出するＬＥＤストロボを設け、これをＡＦ補助光発光器に兼用している。そして、ＬＥＤストロボからＡＦ補助光を発光させる際には、必要な最低光量（ストロボ光の約３割程度）に落とすとともに、常に発光させるのではなく、各サーチポイント毎にＡＦ補助光を発光させることにより、省電力化を図っている。
【０００３】
【特許文献１】特開２００３−１４００２７号公報
【発明の開示】
【発明が解決しようとする課題】
【０００４】
上記特許文献１では、上述のような省電力化を行ってはいるが、未だ不十分であり、更なる省電力化が要望されている。
【０００５】
本発明は、更なる省電力化を図った撮影装置を提供することを目的とする。
【課題を解決するための手段】
【０００６】
本発明の撮影装置は、白色光を発光する発光器と、この発光器に印加する電圧を切り替えることにより、撮影時には発光器から被写体を照明する照明光を発光し、撮影レンズのピント調節時には発光器から照明光よりも弱いＡＦ補助光を発光する発光制御部とを設けたことを特徴とする。
【０００７】
また、前記撮影時に発光器に印加される電圧は、電源電池の電圧を昇圧した高電圧であるとともに、前記撮影レンズのピント調節時に発光器に印加される電圧は、電源電池の電圧そのままの電源電圧であることを特徴とする。
【０００８】
また、前記撮影時に発光器に印加される電圧は、電源電池の電圧を昇圧した高電圧であるとともに、前記撮影レンズのピント調節時に発光器に印加される電圧は、前記高電圧の昇圧率よりも低い昇圧率で電源電池の電圧を昇圧した中電圧であることを特徴とする。
【発明の効果】
【０００９】
本発明の撮影装置によれば、照明光よりも弱いＡＦ補助光を発光するように発光器への印加電圧を切り替えるので、消費電力を小さくできる。また、ピント調節時に発光器に印加される電圧を電源電圧そのままとしたので、昇圧するためにかかる時間及び電源損失を無くすことができ、より消費電力を小さくできる。また、ピント調節時に発光器に印加される電圧を照明光を発光する際に発光器に印加される高電圧よりも低い中電圧としたので、昇圧するためにかかる時間及び電源損失を少なくし、消費電力を小さくできる。
【発明を実施するための最良の形態】
【００１０】
本発明を適用した撮影装置としてのデジタルカメラを示す図１において、デジタルカメラ１０の前面には、撮影レンズ１２、ファインダ窓１４、ストロボ発光部１５及び調光センサ１７が設けられ、カメラ上面には、シャッタボタン１８及び電源スイッチ２０が配設されている。
【００１１】
前記ストロボ発光部１５は、発光器として白色光を発光する高輝度タイプのＬＥＤ２１（図３参照）を内蔵しており、撮影時の照明光の他、ピント調節を行う際のオートフォーカス（ＡＦ）補助光を発光する。また、左手側のカメラ側面には、メモリカード２２を装着するためのカードスロット２３が設けられている。このカードスロット２３は、防塵用の蓋２４によって開閉自在に閉じられる。
【００１２】
撮影レンズ１２にはズームレンズが適用され、撮影レンズ１２の後方にＣＣＤイメージセンサ（以下ＣＣＤという）２７（図３参照）が配置されている。シャッタボタン１８は２段階式に構成され、シャッタボタン１８を軽く押して止める「半押し」の状態でＡＦ及び自動露出制御（ＡＥ）が作動してＡＦとＡＥをロックし、「半押し」から更に押し込む「全押し」の状態で撮影が実行される。
【００１３】
電源スイッチ２０は、モード切換スイッチと兼用されており、電源ＯＦＦとなる「ＯＦＦ位置」、静止画撮影モードで電源ＯＮとなる「撮影ＯＮ位置」、及び再生モードで電源ＯＮとなる「再生ＯＮ位置」の３ポジションを切り換えることができる。
【００１４】
デジタルカメラ１０の背面側の外観を示す図２において、デジタルカメラ１０の背面には、ファインダ２８、液晶モニタ３０、ズームスイッチ３２、多機能の十字ボタン３４、ＡＥロックボタン３６、メニューキー３８、実行キー４０及びキャンセルキー４２が設けられている。液晶モニタ３０は、撮影時に画角確認用の電子ファインダとして使用できるとともに、撮影した画像のプレビュー画やメモリカード２２から読み出した再生画像等を表示可能な表示手段である。また、十字ボタン３４を使用したメニューの選択や各メニューにおける各種項目の設定なども液晶モニタ３０の表示画面を用いて行われる。
【００１５】
ズームスイッチ３２は、上下方向に操作可能なレバースイッチで構成され、これを上方向に操作することで望遠（TELE）方向にズーミングを行い、下方向に操作することで広角（WIDE）方向にズーミングを行う。十字ボタン３４は、上下左右のいずれかの縁部を押圧することによって、対応する４方向（上、下、左、右）の指示を入力できるようにしたもので、メニュー画面における各種設定項目の選択や設定内容の変更を指示する操作ボタンとして使用されるとともに、電子ズームの倍率調整や再生コマの送り／戻しを指示する手段として用いられる。
【００１６】
メニューキー３８は、各モードの通常画面からメニュー画面へ遷移させる時に使用される。実行キー４０は、選択内容の確定、処理の実行（確認）指示の時などに使用される。キャンセルキー４２は、メニューから選んだ項目の取消（キャンセル）や一つ前の操作状態に戻る時などに使用される。
【００１７】
撮影者は、ファインダ２８又は液晶モニタ３０に映し出されるリアルタイム画像（スルー画）を確認しながら、ズームスイッチ３２を操作して画角を決定し、シャッタボタン１８を押し下げて撮影を行う。
【００１８】
デジタルカメラ１０の電気的構成を示す図３において、撮影レンズ１２は、固定レンズ４４、変倍レンズ４６ａ、補正レンズ４６ｂ及びフォーカスレンズ４８の４群型インナーフォーカス式ズームレンズで構成されている。
【００１９】
変倍レンズ４６ａと補正レンズ４６ｂは、図示せぬカム機構によって両者の位置関係が規制されながら光軸に沿って移動し、焦点距離を変更する。なお、説明の便宜上、変倍レンズ４６ａと補正レンズ４６ｂから成る変倍光学系を「ズームレンズ４６」と呼ぶ。
【００２０】
撮影レンズ１２を通過した光は、絞り５０により光量が調節された後、ＣＣＤ２７に入射する。ＣＣＤ２７には、ＭＯＳダイオード（ＭＯＳキャパシタとも呼ばれる）がマトリクス状に配列されており、撮影レンズ１２を介してＣＣＤ２７の受光面に結像された被写体像は、各ＭＯＳダイオードによって入射光量に応じた量の信号電荷に変換される。なお、ＣＣＤ２７は、シャッタゲートパルスのタイミングによって各ＭＯＳダイオードの電荷蓄積時間（シャッタスピード）を制御する、いわゆる電子シャッタ機能を有している。
【００２１】
各ＭＯＳダイオードに蓄積された信号電荷は、ＣＣＤドライバ５４から与えられるパルスに基づいて信号電荷に応じた電圧信号（画像信号）として順次読み出される。ＣＣＤ２７から出力された画像信号は、アナログ処理部５６に送られる。アナログ処理部５６は、サンプリングホールド回路、色分離回路、ゲイン調整回路等の信号処理回路を含み、このアナログ処理部５６において、相関二重サンプリング（ＣＤＳ）処理並びにＲ，Ｇ，Ｂの各色信号に色分離処理され、各色信号の信号レベルの調整（プリホワイトバランス処理）が行われる。
【００２２】
アナログ処理部５６から出力された信号は、Ａ／Ｄ変換器５８によりデジタル信号に変換された後、メモリ６０に格納される。タイミングジェネレータ（ＴＧ）６２は、ＣＰＵ６４の指令に従ってＣＣＤドライバ５４、アナログ処理部５６及びＡ／Ｄ変換器５８に対してタイミング信号を与えており、このタイミング信号によって各回路の同期がとられている。
【００２３】
メモリ６０に格納されたデータは、バス６６を介して信号処理部６８に送られる。信号処理部６８は、輝度・色差信号生成回路、ガンマ補正回路、シャープネス補正回路、コントラスト補正回路、ホワイトバランス補正回路等を含むデジタルシグナルプロセッサ（ＤＳＰ）で構成された画像処理手段であり、ＣＰＵ６４からのコマンドに従って画像信号を処理する。
【００２４】
信号処理部６８に入力された画像データは、輝度信号（Ｙ信号）及び色差信号（Ｃr,Ｃb 信号）に変換されるとともに、ガンマ補正等の所定の処理が施された後、メモリ６０に格納される。撮影画像を表示出力する場合、メモリ６０から画像データが読み出され、表示用メモリ７０に転送される。表示用メモリ７０に記憶されたデータは、表示用の所定方式の信号（例えば、ＮＴＳＣ方式のカラー複合映像信号）に変換された後、Ｄ／Ａ変換器７２を介して液晶モニタ（ＬＣＤ）３０に出力される。こうして、前記画像データの画像内容が液晶モニタ３０の画面上に表示される。
【００２５】
ＣＣＤ２７から出力される画像信号によってメモリ６０内の画像データが定期的に書き換えられ、その画像データから生成される映像信号が液晶モニタ３０に供給されることにより、ＣＣＤ２７を介して入力する画像がリアルタイムに液晶モニタ３０に表示される。撮影者は、液晶モニタ３０に映し出される画像（スルー画）、或いは光学式のファインダ２８によって撮影画角を確認することができる。
【００２６】
撮影者がズームスイッチ３２を操作すると、その指示信号がＣＰＵ６４に入力され、ＣＰＵ６４はズームスイッチ３２からの信号に基づいてズーム駆動部７４を制御してズームレンズ４６をテレ（TELE）方向又はワイド（WIDE）方向に移動させる。ズーム駆動部７４は図示せぬモータを含み、このモータの駆動力によってズームレンズ４６が駆動される。ズームレンズ４６の位置（ズーム位置）は、ズーム位置センサ７６によって検出され、この検出信号はＣＰＵ６４に入力される。
【００２７】
同様に、フォーカス駆動部７８は図示せぬモータを含み、このモータの駆動力によってフォーカスレンズ４８が光軸に沿って前後動する。フォーカスレンズ４８の位置（フォーカス位置）は、フォーカス位置センサ８０によって検出され、このセンサ８０の検出信号はＣＰＵ６４に入力される。
【００２８】
電源スイッチ２０によって静止画撮影モードが設定され、シャッタボタン１８が押し下げられると、撮影開始指示（レリーズＯＮ）信号が発せられる。ＣＰＵ６４は、レリーズＯＮ信号を検知して記録用の撮像動作を実行する。すなわち、ＣＰＵ６４は必要に応じてＬＥＤ制御回路８２にコマンドを送ってストロボ発光部１５のＬＥＤ２１からＡＦ補助光を発光するとともに、後述する評価値演算の結果に基づいてフォーカス駆動部７８を制御してフォーカスレンズ４８を合焦位置に移動させ、絞り５０の開口径やＣＣＤ２７の電子シャッタを制御することにより露出制御を行う。また、ＣＰＵ６４は必要に応じてＬＥＤ制御回路８２にコマンドを送り、ストロボ発光部１５のＬＥＤ２１から大光量の照明光（以下ストロボ光という）を発光する。
【００２９】
ここで、ＬＥＤ２１を兼用してＡＦ補助光又はストロボ光を発光することについて、前記ＬＥＤ制御回路８２の構成を示す図４を参照して説明する。電源電池８３からの出力を２つに分岐し、一方はＤＣ−ＤＣコンバータ８４によって昇圧してＬＥＤ２１に印加し、他方は電源電圧のままＬＥＤ２１に印加する。ＬＥＤ２１に電圧を印加するか否かは、ストロボ調光回路８５によって制御されるスイッチ８６のオン／オフによる。また、ＤＣ−ＤＣコンバータ８４によって昇圧した高電圧をＬＥＤ２１に印加するか否かは、スイッチ８７のオン／オフによる。このスイッチ８７のオン／オフは、ストロボ調光回路８５によって制御されるスイッチ８８のオン／オフによる。
【００３０】
ＣＰＵ６４からＬＥＤ制御回路８２にストロボ光とＡＦ補助光との切替信号（ＳＴＡコマンド）が送られる毎に、スイッチ８８がオン／オフされる。スイッチ８８がオフの時には、スイッチ８７もオフになっており、ＣＰＵ６４から発光信号（ＨＫコマンド）がＬＥＤ制御回路８２の調光回路８５に入力され、スイッチ８６がオンになると、電源電池８３からの電源電圧だけがＬＥＤ２１に印加され、ＬＥＤ２１からＡＦ補助光が放出される。このＡＦ補助光発光では、電源電池８４からの電流がＤＣ−ＤＣコンバータ８４を経由しないから、電源電池８４の消耗が少なく、また昇圧にかかる時間もないからスイッチ８６がオンになってからＬＥＤ２１が発光するまでのタイムラグがない。
【００３１】
また、スイッチ８８がオンの時には、スイッチ８７もオンになっており、ＨＫコマンドが調光回路８５に入力され、スイッチ８６がオンになると、ＤＣ−ＤＣコンバータ８４によって昇圧した高電圧がＬＥＤ２１に印加され、ＬＥＤ２１からストロボ光が被写体に向けて放出される。なお、この時、同時に電源電池８３からの電源電圧も同時にＬＥＤ２１に印加されているが、前記高電圧の方が電源電圧よりも圧倒的に電圧が高いので、ほとんど影響がない。
【００３２】
また、前記ストロボ光がＬＥＤ２１から放出されている間に被写体からの反射光が調光センサ１７に入射する。ストロボ調光回路８５は、調光センサ１７からの入射光量が適正露光に対応した発光量調整用の基準値と一致した際にスイッチ８６をオフにし、ＬＥＤ２１の発光を停止する。
【００３３】
こうして、シャッタボタン１８の押下操作に応動して、記録用の画像データの取り込みが開始される。画像データを圧縮記録するモードが選択されている場合、ＣＰＵ６４は圧縮伸張回路９０にコマンドを送る。圧縮伸張回路９０は、メモリ６０に取り込まれた画像データをＪＰＥＧその他の所定の形式に従って圧縮する。
【００３４】
圧縮された画像データは、カードインターフェース９２を介してメモリカード２２に記録される。非圧縮の画像データを記録するモード（非圧縮モード）が選択されている場合には、圧縮伸張回路９０による圧縮処理は省略され、非圧縮のまま画像データがメモリカード２２に記録される。
【００３５】
電源スイッチ２０によって再生モードが設定されると、メモリカード２２から画像ファイルが読み出される。読み出された画像データは、必要に応じて圧縮伸張回路９０によって伸張処理され、表示用メモリ７０を介して液晶モニタ３０に出力される。
【００３６】
ＣＰＵ６４は、本カメラシステムの各回路を統括制御する制御部である。ＣＰＵ６４は、前記電源スイッチ２０、シャッタボタン１８、ズームスイッチ３２等から構成される操作部９３から受入する入力信号に基づき、対応する回路の動作を制御するとともに、ＬＥＤ制御、液晶モニタ３０における表示制御、ＡＦ制御及び自動露出（ＡＥ）制御等を行う。
【００３７】
ここでオートフォーカス制御について説明する。晴天の屋外で撮影する時など被写体に十分なコントラストがあるため自然光によってピント調節を行い得る場合には、ＬＥＤ制御回路８２にＨＫコマンドは入力されず、ＡＦ補助光は発光されない。また、夕方や屋内では、被写体のコントラストが低下するため、自然光によるピント合せができ難くなるから、ＣＰＵ６４は、被写体の輝度値が所定の値以下になると、ＬＥＤ制御回路８２にコマンドを送り、ＬＥＤ２１からＡＦ補助光を発光させる。
【００３８】
Ａ／Ｄ変換器５８によってデジタル信号に変換された画像信号は、評価値演算部９４に入力される。評価値演算部９４は、高周波成分抽出回路９５と積算回路９６とを有し、入力される画像信号のうちＧ成分のデータをサンプリングしてＡＦ検出対象エリア（以下フォーカスエリアという）内での高周波成分を抽出するとともにその絶対値をとり、フォーカスエリア内で絶対値データを積算して得られた値（以下評価値という）をＣＰＵ６４に提供する。
【００３９】
ＡＦ動作時にＣＰＵ６４は、図４（Ｂ）に示すようにフォーカスレンズ４８を焦点調節領域内で至近から無限遠（又は無限遠から至近）の方向に移動させながら、複数のＡＦ検出ポイント（サーチポイント）で画像中央部分のコントラストを検出し、図４（Ａ）に示すようにサーチポイントごとに評価値（黒丸で示す）を算出する。そして、各ポイントで算出された評価値を総合して、評価値が最大となるレンズ位置を合焦位置として決定し、求めた合焦位置にフォーカスレンズ４８を移動させるようにフォーカス駆動部７８を制御する。
【００４０】
このように構成されたデジタルカメラ１０を使用するには、まず電源スイッチ２０を操作してデジタルカメラ１０の電源をオンにする。そして、シャッタボタン１８を半押しすると、ＣＰＵ６４は、ＡＥ制御及びＡＦ制御を行い、シャッタボタン１８が半押しされている期間、ＡＦとＡＥをロックする。
【００４１】
ＡＥ制御では、Ｒ、Ｇ、Ｂ信号を取り込み、これらのＲ、Ｇ、Ｂ信号を積算した積算値に基づいて被写体輝度（撮影ＥＶ値）を求め、この撮影ＥＶ値に基づいて撮影時の絞り値とシャッタスピードを決定する。なお、シャッタボタン１８の全押し時に前記決定した絞り値になるように絞り５０が制御され、また、決定したシャッタスピードとなるように電子シャッタによって電荷の蓄積時間が制御される。
【００４２】
また、ＡＦ制御は、図５で説明したコントラストＡＦによってフォーカスレンズ４８を合焦位置に移動させるが、ＣＰＵ６４は、被写体の明るさ（撮影ＥＶ値）が所定の値以下になると、ＬＥＤ制御回路８２にＨＫコマンドを送り、ＬＥＤ２１からＡＦ補助光を発光させる。なお、ＬＥＤ制御回路８２はデフォルトでＡＦ補助光を発光するようになっているから、ＳＴＡコマンドの入力はなく、スイッチ８７はオフのままである。
【００４３】
続いて、ＣＣＤ２７のフォーカスエリアから評価値を求めるための画像信号を取り込み、その後、図５（Ｂ）に示すように、フォーカスレンズ４８を所定量移動（次のサーチポイントに移動）させるためにフォーカスモータを駆動する。
【００４４】
フォーカスレンズ４８が次のサーチポイントに移動すると、再びＡＦ補助光を発光させ、ＣＣＤ２７から画像信号を取り込む。図５（Ｂ）に示すようにフォーカスレンズを焦点調節領域内で至近から無限遠（又は無限遠から至近）の方向に移動させながら、各サーチポイント毎にＡＦ補助光を発光させ、ＣＣＤ２７から画像信号を取り込む。
【００４５】
各サーチポイントでの画像信号に基づく評価値が算出されると、その算出された評価値を総合して、評価値が最大となるレンズ位置を合焦位置として算出し、求めた合焦位置にフォーカスレンズ４８を移動させ、ＡＦ動作を終了する。
【００４６】
その後、シャッタボタン１８が全押しされると、ＣＰＵ６４は、被写体の明るさ（撮影ＥＶ値）が所定の値（この値はＡＦ補助光を発光するか否かの判断時の値と異なっている。）以下の場合、ＬＥＤ制御回路８２にＳＴＡコマンドを送ってスイッチ８７をオンにしてＡＦ補助光からストロボ光に切り替えた後、ＨＫコマンドを送り、ＬＥＤ２１からストロボ光を発光させる。
【００４７】
ストロボ調光回路８５は、調光センサ１７を介して被写体からの反射光を検知し、この検知した反射光量が発光量調整用の基準値と一致すると、スイッチ８６をオフにしてＬＥＤ２１の発光を停止させる。
【００４８】
ＣＣＤ２７から出力された画像信号がアナログ信号処理部５６，Ａ／Ｄ変換器５８を経て、画像データとしてメモリ６０に取り込まれ、圧縮伸張回路９０で所定の形式に圧縮された後、カードインターフェース９２を介してメモリカード２２に記録される。
【００４９】
前記ＬＥＤ制御回路８２では、ＡＦ補助光を発光する場合には、電源電池８３の電源電圧をそのままＬＥＤ２１に印加したが、図６に示すＬＥＤ制御回路９８のように、前記ＤＣ−ＤＣコンバータ８４よりも昇圧率の低いＤＣ−ＤＣコンバータ９９で昇圧するようにしてもよい。この場合、消費電力は、上記実施形態よりは多くなるが、ＤＣ−ＤＣコンバータ９９の昇圧率を低く抑えることにより、電源電池８３の消耗を抑えながら、ＤＣ−ＤＣコンバータ９９で昇圧した中電圧をＬＥＤ２１に印加することにより十分な光量のＡＦ補助光を得ることができる。
【００５０】
以上説明した実施形態では、発光器として１個の白色ＬＥＤを用いたが、本発明はこれに限定されることなく、複数個の白色ＬＥＤを集めたＬＥＤ群や、ＲＧＢの各ＬＥＤを複数個ずつ集めて白色光となるように同時に発光させるＬＥＤ群でもよい。また、発光器としては、上記ＬＥＤの他、有機エレクトロルミネセンス、プラズマ発光素子等を適用することができる。
【００５１】
また、上記実施形態では、ストロボ光を発光させるか否かの判断基準となる被写体の明るさ（撮影ＥＶ値）と、ＡＦ補助光を発光させるか否かの判断基準となる被写体の明るさ（撮影ＥＶ値）とを異なるようにしたが、同じにしてもよい。また、上記実施形態は、撮影装置をデジタルカメラとしたが、本発明はこれに限定されることなく、カメラ付き携帯電話やカメラ付きＰＤＡ等でもよい。
【図面の簡単な説明】
【００５２】
【図１】本発明を適用したデジタルカメラの正面側外観を示す斜視図である。
【図２】デジタルカメラの背面側外観を示す斜視図である。
【図３】デジタルカメラの電気的な構成を示すブロック図である。
【図４】ＬＥＤ制御回路の概略的な構成を示す電気回路図である。
【図５】コントラストＡＦの動作を示す説明図である。
【図６】別のＬＥＤ制御回路の概略的な構成を示す電気回路図である。
【符号の説明】
【００５３】
１０  デジタルカメラ
１７  調光センサ
２１  ＬＥＤ
８２  ＬＥＤ制御回路
８３  電源電池
８４，９９  ＤＣ−ＤＣコンバータ
８５  ストロボ調光回路
【図１】
2006003442.tif 000003
【図２】
2006003442.tif 000004
【図３】
2006003442.tif 000005
【図４】
2006003442.tif 000006
【図５】
2006003442.tif 000007
【図６】
2006003442.tif 000008